(57)【特許請求の範囲】
【請求項１】
原稿の表紙を載置するための原稿台と、該原稿台の上面側を覆うように設けられた押さえ部材と、該押さえ部材をその一端側をもって上下方向に回動自在に支持する回転支持機構と、上記押さえ部材の他端側を上記原稿台に係止するロック機構とが備えられ、
上記回転支持機構は、上記原稿台の両側の側板にそれぞれ形成され上下方向に延びる長穴と、各長穴に個別に且つ上下方向にスライド可能に設けられ上記押さえ部材の一端側を回動自在に支持するスライダと、各スライダをそれぞれ常時下方向に付勢するバネ部材とから構成され、上記長穴の上方側は上記バネ部材の上端を受けることを特徴とする原稿載置台。
【請求項２】
上記スライダは、上記長穴に係合されるスライダ本体と、該スライダ本体に上記押さえ部材の側板の外側から挿通され上記押さえ部材の一端側を回動自在に係止する連結ピンとから構成されていることを特徴とする請求項１記載の原稿載置台。
【発明の詳細な説明】
【技術分野】
【０００１】
本発明は、原稿読み取り機能を備えた複写機等の原稿載置台に関し、特に、本等の原稿をその見開き面を上向きにして載置して読み取るのに好適な原稿載置台に関する。
【背景技術】
【０００２】
従来より、本等の原稿（いわゆるブック原稿）をその見開き原稿面を上向きにして原稿台に載置し、その上部に設けられた画像読取手段を往復移動させて原稿を読み取り、読み取った内容を画像出力装置によって出力することが行われている。
この場合、原稿を原稿台に載せただけでは手動又は自動の頁めくり動作においてズレを生じ、画像の乱れを来し易い。このため、原稿を載置する原稿台と、この原稿台の上面を覆うように設けられた押さえ部材とから成る原稿載置台が提案されている。押さえ部材は一端側を定位置で軸支されて回動自在に設けられており、押さえ部材で本原稿の表紙を挟持して表紙の抜け、原稿のズレが生じないようにしている。また、押さえ部材は原稿台に対してロックできるようになっている。
【発明の開示】
【発明が解決しようとする課題】
【０００３】
しかしながら、この種の原稿載置台は基本的に薄い表紙の原稿を対象とする構成となっており、ロック機構を備えていても、その機能を十分に発揮できる原稿の表紙の厚さは比較的薄手のものに限られており、厚手の表紙の本には対処できなかった。
【０００４】
本発明は、本等の原稿の表紙の厚さに拘わらず、常に均一な押圧力（挟持力）を得ることができ、画像の乱れを来さない原稿載置台の提供を、その目的とする。
【課題を解決するための手段】
【０００５】
本発明は、押さえ部材の回動軸側に原稿の厚みに追随する機能を付与する、という考えに基づいている。
具体的には、請求項１記載の発明では、原稿の表紙を載置するための原稿台と、該原稿台の上面側を覆うように設けられた押さえ部材と、該押さえ部材をその一端側をもって上下方向に回動自在に支持する回転支持機構と、上記押さえ部材の他端側を上記原稿台に係止するロック機構とが備えられ、上記回転支持機構は、上記原稿台の両側の側板にそれぞれ形成され上下方向に延びる長穴と、各長穴に個別に且つ上下方向にスライド可能に設けられ上記押さえ部材の一端側を回動自在に支持するスライダと、各スライダをそれぞれ常時下方向に付勢するバネ部材とから構成され、上記長穴の上方側は上記バネ部材の上端を受ける、という構成を採っている。
【０００６】
請求項２記載の発明では、請求項１記載の原稿載置台において、上記スライダは、上記長穴に係合されるスライダ本体と、該スライダ本体に上記押さえ部材の側板の外側から挿通され上記押さえ部材の一端側を回動自在に係止する連結ピンとから構成されている、という構成を採っている。
【発明の効果】
【０００８】
本発明によれば、上下方向に変位可能で、且つ、常時下方向に付勢する機能を有する回転支持機構で押さえ部材を回動可能に支持する構成としたので、一般的な薄い表紙の原稿は勿論のこと、厚さの異なる表紙の本原稿にも任意に対応できる。
また、本原稿の表紙の厚さに拘わらず一定の押圧力（挟持力）を維持できるので、原稿のズレを生じることがなく、よって画像乱れも来さない。
【発明を実施するための最良の形態】
【０００９】
以下、本発明の一実施例を図１乃至図３に基づいて説明する。なお、本実施例においては、画像読取手段や画像出力装置等の関連構成は省略している。
図１に示すように、原稿載置台２には、原稿台４と、この原稿台４の上面側を覆う押さえ部材６と、押さえ部材６を上下方向に回動自在に支持する回転支持機構８と、押さえ部材６の自由端側をロックするロック機構１０とから概略構成されている。原稿台４は両側に側板４ａ，４ａを有しており、押さえ部材６は両側に側板６ａ，６ａを有している。
ロック機構１０は、押さえ部材６の自由端両側に形成された係合凹部１２，１２と、これに対応して原稿台４側に形成された係合凸部１４，１４と、一方の係合凹部１２側に形成されたロック解除レバー１６とから概略構成されている。このロック機構１０は従来の技術をそのまま採用しているので、詳細は省略する。
本原稿３２の片側の表紙３２ａのみが原稿台４と押さえ部材６の間に挟まれ、片側の本の中身３２ｂは押さえ部材の上に載せられる。
【００１０】
回転支持機構８は、図２に示すように、原稿台４の側板４ａに形成されたガイド部としての略Ｕ字状の長穴１８と、この長穴１８を上下方向にスライドするスライダ２０と、スライダ２０を常時下方向に付勢するバネ部材としてのコイルバネ２２とから概略構成されている。
長穴１８の上方側は原稿台４の幅方向に切り込まれており、この部分にはコイルバネ２２の上端を受けるバネ座２４が折り曲げ加工によって一体に形成されている。
【００１１】
スライダ２０は、スライダ本体２６と、このスライダ本体２６を貫通する連結ピン２８とから構成されている。スライダ本体２６は、長穴１８の内方に入り込む嵌入部２６ａと、側板４ａに当接して嵌入部２６ａの入り込みを規制する当接部２６ｂとから成る横断面Ｔ字状に形成されており、上面にはコイルバネ２２の下端を受けるバネ座としての受穴２６ｃが形成されている。嵌入部２６ａの下端は長穴１８の下端に対応して湾曲状に形成されている。
また、スライダ本体２６には、長穴１８への嵌入方向に沿って連結ピン２８が挿入される貫通孔２６ｄが形成されている。連結ピン２８は押さえ部材６の側板６ａに形成された支持穴６ｂに挿通された後、貫通孔２６ｄへ挿通され、この後先端部に例えばＥ字状の係止部材３０を嵌められて抜け止めされる。
【００１２】
次に、図３に基づいて回転支持機構８による押さえ部材６の変位動作を説明する。
図３（ａ）は、比較的薄手の表紙３２ａ（厚みｔ１）の本３２を原稿とする場合を示しており、原稿台４に本３２の表紙３２ａを載置した後、押さえ部材６を下方に回動して閉じると、スライダ２０は下端位置Ｐ（薄肉シート状原稿に対応する基本位置）から本３２の表紙の厚みに対応する分、コイルバネ２２の付勢力に抗して上昇する。押さえ部材６は閉じた後、ロック機構１０によって自由端をロックされる。符号３２ｂは本の中身を示す。
押さえ部材６の一端側を支持するスライダ２０は常にコイルバネ２２によって付勢されているので、原稿としての本３２の表紙３２ａには一定の押圧力が働き、これによって原稿のズレ、歪み、変形等（ひいては画像乱れ）は生じない。
【００１３】
厚手の表紙の本３４を原稿とする場合でも、図３（ｂ）に示すように、本３４の表紙３４ａの厚み（ｔ２）に対応する分スライダ２０が上昇し、押さえ部材６を閉じてロックした場合、本３４の表紙３４ａには一定の押圧力が働く。なお、符号３４ｂは本の中身を示す。
そして、いずれの場合にも押さえ部材６の回動機能は損なわれない。
【００１４】
上記実施例では、スライダ２０を押さえ部材６とは個別に形成したので、組付を容易に行うことができる。しかしながら、このような構成に限定される訳ではなく、例えば、押さえ部材６の側板６ａの内方に連結ピン２８を兼ねる円柱状のスライダを一体に形成し、スライダに形成された環状溝を介して原稿台４に対して上から嵌め込む方式とし、上方のバネ受けは後から付加する構成とすることもできる。
【図面の簡単な説明】
【００１５】
【図１】本発明の一実施例を示す原稿載置台の斜視図である。
【図２】回転支持機構周辺の分解斜視図である。
【図３】回転支持機構による上下方向の変位動作を示す一部省略の概要断面図で、（ａ）は薄手の表紙の本を原稿とした場合、（ｂ）は厚手の表紙の本を原稿とした場合である。
【符号の説明】
【００１６】
４  原稿台
６  押さえ部材
８  回転支持機構
１８  ガイド部としての長穴
２０  スライダ
２２  バネ部材としてのコイルバネ
２６  スライダ本体
２８  連結ピン
３２，３４  原稿としての本
【図１】
0003682060.tif 000002
【図２】
0003682060.tif 000003
【図３】
0003682060.tif 000004